(57)【要約】【課題】  ペット瓶の射出成型における作業性を向上すると共に、一体に結合される取っ手の強固性を高めて、ペット瓶の耐久性及び取り扱い及び使用時の安定性を確保する。【構成】  １次金型に溶融状態の樹脂を射出機で噴射させ、入り口と取っ手及び本体を有する製品を射出する。次に、射出成型された製品をヒータを利用して加熱し、加熱された製品を２次金型に位置させた後、延伸棒を利用して本体を延長させると共に、エアをブローイングして本体が２次金型に形成された型状に射出成型させる。この２次金型内でペット瓶が射出成型され、本体がブローイングされる過程で、取っ手の端部を覆い取っ手付きペット瓶を成型させる。【選択図】      図２
2005067188.tif 000002
【特許請求の範囲】
【請求項１】
金型射出を利用して成型されるペット瓶製造方法において、
１次金型に溶融状態の樹脂を射出機で噴射させ、入り口と取っ手及び本体を有する製品を射出するフリフォーム成型段階（Ｓ１０）；
前記フリフォーム成型段階で射出成型された製品を、ヒータを利用して加熱する段階（Ｓ２０）；
加熱された製品を２次金型に位置させた後、延伸棒を利用して本体を延ばして延伸し、エアをブローイングして本体が２次金型に形成された型状に射出成型する延伸及びブロー成型段階（Ｓ３０）
２次金型内で延伸及びブロー（ＢＬＯＷ）によりペット瓶が射出成型され、本体がブローイングされる過程で、取っ手の端部を覆い一体で成型される段階（Ｓ３０’）；
２次金型を解放して製品を抽出する段階（Ｓ４０）とで成されることを特徴とする一体型取っ手を有するペット瓶製造方法。
【請求項２】
請求項１に記載されたペット瓶製造方法において、
前記フリフォーム成型段階（Ｓ１０）入り口（２）、本体（３）、取っ手（４）が同一な材質で一体を成すように射出成型されることを特徴とする一体型取っ手を有するペット瓶製造方法。
【請求項３】
入り口（２）と本体（３）とで構成され、取っ手（４）を有するペット瓶において、
前記入り口（２）の下端部一側方には連結片（５）が延長され、取っ手（４）が一体で成型され取っ手（４）の端部には固定片（６）が形成されたことを特徴とする一体型取っ手を有するペット瓶。
【請求項４】
請求項３に記載されたペット瓶において、
前記取っ手（４）が一体で射出成型される部位の本体（３）には、縦方向に一定範囲に亘り等間隔を成す複数の凹溝部（７）が形成されたことを特徴とする一体型取っ手を有するペット瓶。
【請求項５】
請求項３に記載されたペット瓶において、
前記取っ手（４）は本体（３）の両側方にそれぞれ一体で射出・成型されたことを特徴とする一体型取っ手を有するペット瓶。
【請求項６】
請求項３に記載されたペット瓶において、
前記入口（２）の下部外周面には等間隔をなし、結合溝（９’）が形成されるように多段状に環状の支持片（９）が突出し、前記支持片（９）により取っ手（４）が一体で射出・成型されたことを特徴とする一体型取っ手を有するペット瓶。
【請求項７】
請求項３に記載されたペット瓶において、
本体（３）の上端部に形成された入口（２）の下部には単一形態の環状の支持片（９）が突出され、前記支持片（９）には取っ手（４）の連結片（５）が一部位を覆い一体で射出・成型されたことを特徴とする一体型取っ手を有するペット瓶。
【請求項８】
請求項３に記載されたペット瓶において、
前記取っ手（４）の連結片（５）が入口（２）が形成された本体（３）に一体で射出・成型されたことを特徴とする一体型取っ手を有するペット瓶。
【請求項９】
請求項５に記載されたペット瓶において、
前記取っ手（４）は内側面に補助固定片（８’）が延長・突出され、本体（３）に一体で射出・成型されたことを特徴とする一体型取っ手を有するペット瓶。
【請求項１０】
請求項６に記載されたペット瓶において、
前記取っ手（４）の連結片（５）は多段状に突出された支持片（９）の内、上部に位置した支持片（９ａ）に連接するように一体で射出・成型されたことを特徴とする一体型取っ手を有するペット瓶。
【請求項１１】
請求項６に記載されたペット瓶において、
前記取っ手（４）の連結片（５）は多段状に突出された支持片（９）の内、中間部に位置した支持片（９ｂ）に連接され一体で射出・成型されたことを特徴とする一体型取っ手を有するペット瓶。
【請求項１２】
請求項６に記載されたペット瓶において、
前記取っ手（４）の連結片（５）は支持片（９）の下部に位置した支持片（９ｃ）、に連接され一体で射出・成型されたことを特徴とする一体型取っ手を有するペット瓶。
【請求項１３】
請求項６に記載されたペット瓶において、
前記取っ手（４）の連結片（５）は入口（２）の下部に多段状に突出された支持片（９）の内、中間部に位置した支持片（９ｂ）の位置部位を覆い、前記支持片（９）間に形成された結合溝（９’）の一部位を埋込んだ状態を成し一体で射出・成型されたことを特徴とする一体型取っ手を有するペット瓶。
【請求項１４】
請求項７に記載されたペット瓶において、
前記取っ手（４）の連結片（５）は支持片（９）の底面の一部位と本体（３）の一部位に連接するように一体で射出・成型されたことを特徴とする一体型取っ手を有するペット瓶。
【請求項１５】
請求項９に記載されたペット瓶において、
前記取っ手（４）は内側面が複数の補助固定片（８’）が突出され、射出・成型の際本体（３）に埋め込まれるようになされたことを特徴とする一体型取っ手を有するペット瓶。
【請求項１６】
請求項９又は１５のいずれか一項に記載されたペット瓶において、
前記取っ手（４）は内側面に複数の補助固定片（８’）が突出され本体（３）の両側に埋め込まれるようになされたことを特徴とする一体型取っ手を有するペット瓶。
【発明の詳細な説明】
【技術分野】
【０００１】
本発明は一体型取っ手を有するペット瓶及びその製造方法に関する。
より詳しくはペット瓶を射出成型する際に、ペット瓶使用に伴う便宜を提供する為の取っ手を一体成型し、取っ手の結合に伴う簡便・容易な作業性と、一体で結合される取っ手の強固性を高め、耐久性を向上させると共に、取り扱い及び使用に伴う安定性を確保できるようにした一体型取っ手を有するペット瓶及びその製造方法に関するものである。
【背景技術】
【０００２】
一般に、各種の飲料水や水または料理の際使用されている食用油、醤油、お酢等（以下、液体類と通称する）は別途の加工工程により成型されたペット瓶に入れて流通・販売されている。
このような、ペット瓶成型工程は射出段階で仮成型をした後、ヒータを利用して加熱し、望む形状の金型に入れブローイング（ｂｌｏｗｉｎｇ）して望む形状の製品を形成する工程により成型される。
さらに、今までの従来のペット瓶に使われてきた取っ手はペット瓶のブローイング段階が完了すると、別途の加工工程を通じて成型された取っ手をペット瓶の首部分に嵌め込み結合して使用している。
【０００３】
しかしながら、前記のような従来のペット瓶では射出・成型過程で取っ手が一体成型されず、取っ手は別途の工程を通じて成型された後、結合される方式で成されているので結合部位が脆く、外部より衝撃や荷重が加えられると容易に取っ手が抜けてしまう等の問題点を抱えている。さらに、別途加工された取っ手が結合される部位つまり首部位を結合に伴う荷重を耐えられるようにするため、他の部位より厚みを有するようにすることによる材料の消耗量が増加し、さらに、ペット瓶の首部分に取っ手を結合させるための工程が難しく、手間がかかるばかりでなくペット瓶と取っ手の材質が相異するので、異質感に因り結合部位の強固性が落ちる等の多くの問題点が生ずるようになった。
【発明の開示】
【発明が解決しようとする課題】
【０００４】
本発明は前記のような従来の不都合及び問題点を解消するためのものであって、その目的はペット瓶を射出成型する際に、延伸及びブロー成型段階を利用して本体に取っ手を一体に射出成型することにより、ペット瓶の取っ手使用に伴う保持力と強固性を高めると共に、取っ手の結合に伴う簡便・容易な作業は勿論、全体的なペット瓶の耐久性を向上させ、取扱及び使用に伴う安定性を確保できるように成された新たな形態の一体型取っ手を有するペット瓶及びその製造方法を提供しようとするものである。
【課題を解決するための手段】
【０００５】
このような目的を達成するために、本発明は金型射出を利用してペット瓶を成型するに際し、１次金型に溶融状態の樹脂を射出機で噴射し、入り口と取っ手及び本体を有する製品を射出するフリフォーム成型段階；前記フリフォーム成型段階で射出成型された製品をヒータを利用して加熱する段階；加熱された製品を２次金型に位置させた後、延伸棒を利用して本体を延長させると共に、エアーをブローイングして本体が２次金型に形成された型状に射出成型させる延伸及びブロー成型段階；２次金型内で延伸及びブロー（ｂｌｏｗ）により、ペット瓶が射出成型されるものの、本体がブローイングされる過程で、取っ手の端部を覆い一体で成型される段階；２次金型を解放して製品を抽出する段階とでなされる特徴を有する。
【０００６】
本発明はフリフォーム成型段階で入り口、本体、取っ手が一体で成されるように射出成型され、延伸及びブロー成型段階で、本体と取っ手が一体を為すように射出成型された特徴を有する。
このような本発明において、前記本体と取っ手は同質で一体を成すように射出成型され、入り口の下端部一側方には連結片が延長され、取っ手が一体で成型されて取っ手の端部には固定片が形成されるように射出成型された特徴を有する。
【発明の効果】
【０００７】
このように、本発明に伴う製造方法を利用して一体型取っ手を有するペット瓶を製造する際に、延伸及びブロー成型段階を利用して本体に取っ手が一体で射出成型できることにより、ペット瓶使用に伴う取っ手の保持力と強固性を高めると共に、取っ手の結合を簡便・容易に成すことができるため効率的に作業を行うことができ、さらに、全体的なペット瓶の耐久性を向上させ取扱及び使用に伴う安定性を確保できる効果を奏する。
【発明を実施するための最良の形態】
【０００８】
以下、本発明を添付した図面により、より詳しく説明すれば下記の通りである。
図１は本発明に伴うペット瓶製造方法を示す工程図であり、図２は本発明に伴う製造方法に伴う工程を示す概略図にして、本発明による一体型取っ手を有するペット瓶製造方法はフリフォーム成型段階（Ｓ１０）において、１次金型（１０）に溶融状態の樹脂をインジェクターで噴射し、入り口（２）と本体（３）及び取っ手（４）を有する製品が射出され、加熱段階（Ｓ２０）ではフリフォーム成型段階（Ｓ１０）で射出成型された製品をヒータ（Ｈ）を利用して加熱する。延伸及びブロー成型段階（Ｓ３０）ではヒータ（Ｈ）により加熱された製品を２次金型（２０）に位置させた後、延伸棒（２１）を利用して本体（３）を一定の長さを有するように延長させると共に、エアーをブローイングして本体（３）が２次金型（２０）に形成された型状に射出成型する。
【０００９】
さらに、前記延伸及びブロー成型段階（Ｓ３０）では２次金型（２０）内で延伸及びブロー（ＢＬＯＷ）によりペット瓶が射出成型されるが、本体（３）がブローイングされる過程で取っ手（４）の端部を覆い、一体で成型される段階（Ｓ３０’）が実施され、２次金型（２０）を解放して製品を抽出する段階（Ｓ４０）により、ペット瓶の射出成型が完了する。
【００１０】
図３，４，５は本発明のペット瓶製造方法に伴うそれぞれの工程を説明するための拡大断面図にして、図３は射出成型しようとする型状の第１、２，３金型（１１，１２，１３）で成された１次金型にインジェクタを利用して樹脂を噴射・供給して入り口（２）、本体（３）、取っ手（４）を有する製品が成型されるのを示すものであり、図４は射出成型された製品の本体（３）がヒータ（Ｈ）により、加熱されるのを示すものであり、図５は射出成型しようとするペット瓶形態の型状の第４、５金型（２２，２３）が具備された２次金型（２０）に図３及び４を通じて射出成型され、加熱された製品を位置させた後、本体（３）内部に延伸棒（２１）を下降させ、本体（３）を一定の長さを有するように延長させ、本体（３）内にエアーをブローイングさせ、本体（３）が２次金型（２０）の枠状に沿って射出成型されるのを表すものである。
この時、図５ではエアーによるブローイングに因って本体（３）が２次金型（２０）の枠状に沿って射出成型される過程において、本体が取っ手（４）の端部を覆い一体を成すように成型されるのを表す。
【００１１】
図６は本発明に伴う一体型取っ手を有するペット瓶を示す縦断面図にして、フリフォーム成型段階（Ｓ１０）、加熱段階（Ｓ２０）、延伸及びブロー成型段階（Ｓ３０）を経て、入り口（２）、本体（３）と取っ手（４）が一体でなされたペット瓶が射出成型され、前記本体（３）、取っ手（４）が同質で一体を成し、入り口（２）の下端部一側方には連結片（５）が延長され、取っ手（４）が一体で成型され、取っ手（４）の端部には固定片（６）が形成されたことを示したものである。
この時、前記取っ手（４）の端部に形成された固定片（６）は本体（３）がブローイングにより成型される過程で本体（３）により覆われ一体を成す。
さらに、前記取っ手（４）が一体で射出成型される部位の本体（３）には、縦方向に一定範囲に亘り等間隔を成す複数の凹溝部（７）が形成されたことを示す。
【００１２】
図７，８は本発明に伴う一体型取っ手を有するペット瓶の他の実施例を示す縦断面図であって、図７は入り口（２）の下端部の一側方には連結片（５）により、取っ手（４）が一体を成すように形成され、取っ手（４）の端部に形成された固定片（６）は射出成型される過程で、本体（３）で覆われ一体を成すように成型されるにおいて、前記取っ手（４）の中央部位には前記固定片（６）と同様に射出成型される過程で、本体（３）で覆われ一体を成す補助固定片（８）が形成されたことを示す。
さらに、図８は入り口（２）の下端部の一側方には連結片（５）により、取っ手（４）が一体を成すように形成され、取っ手（４）の端部に形成された固定片（６）は射出成型される過程で、本体（３）で覆われ一体を成すように成型されるにおいて、前記取っ手（４）には一対の補助固定片（８’）が本体（３）で覆われるように一体で射出成型されたことを示している。
【００１３】
図９，１０，１１は本発明に伴う一体型取っ手を有するペット瓶のさらに他の実施例を示す縦断面図であって、本発明に伴う製造方法（図１及び図２参照）により、本体（３）に取っ手（４）が一体になっているペット瓶が加工され、図９に示した通り、本体（３）の両側方にそれぞれ取っ手（４）が一体で射出・成型されるか又は図１０に示した通り、本体（３）の両側方にそれぞれ取っ手（４）が一体で射出・成型され、取っ手（４）が本体（３）の上端部から中央部位に達するように、下方に長く延長されるように成され、取っ手（４）の内側面中央部位には補助固定片（８’）が一体で延長・突出され本体（３）と一体を成して射出・成型されたことを示すものである。
さらに、図１１に示された通り、本体（３）の両側方にそれぞれ取っ手（４）が一体を成し、射出・成型され、取っ手（４）は本体（３）の上端部から下部に達するように長く延長され、内側面には一定間隔を成して、補助固定片（８’）が延長・突出され本体（３）と一体を成して射出・成型されたことを示すものである。
【００１４】
図１２、１３、１４、１５は本発明に伴う一体型取っ手を有するペット瓶のさらに他の実施例を示す部分拡大断面図にして、本体（３）上端部に形成された入口（２）の下部外周面に等間隔をなし、結合溝（９’）が形成されるように多段状に環状の支持片（９）が突出され、前記支持片（９）により取っ手（４）が一体で射出成型されたことを示したものである。
先ず、図１２は取っ手（４）の連結片（５）が多段状に突出した支持片（９）の内、上部に位置した支持片（９ａ）に連結するように、一体で射出・成型されたことを示し、図１３は取っ手（４）の連結片（５）が入口（２）の下部に多段状に突出した支持片（９）の中間部に位置された支持片（９ｂ）と連結され、一体で射出・成型されたことを示したものである。
図１４は取っ手（４）の連結片（５）が支持片（９）の下部に位置した支持片（９ｃ）に連接するように、一体で射出・成型されたことを示したものである。図１５は取っ手（４）の連結片（５）の入口（２）の下部に多段状に突出した支持片（９）の中間部に位置された支持片（９ｂ）の一部位を覆い、前記支持片（９）間に形成された結合溝（９’）の一部位を埋め込んだ状態をなし、一体で射出・成型されたことを示したものである。
図１６、１７は本発明に伴う一体型取っ手を有するペット瓶のさらに他の実施例を示した部分拡大断面図にして、本体（３）の上端部に形成された入口（２）の下部には単一形態で環状の支持片（９）が突出され、前記支持片（９）には取っ手（４）の連結片（５）が一部位を覆いながら一体で射出・成型されたことを示したものであり、図１７は前記取っ手（４）の連結片（５）が入口（２）に突出された支持片（９）の底面一部位と、本体（３）一部位に連接するように一体で射出・成型されたことを示したものである。
図１８は本発明に伴う一体型取っ手を有するペット瓶のさらに他の実施例を示す部分拡大断面図にして、取っ手（４）の連結片（５）が入口（２）が形成された本体（３）に一体で射出・成型されたことを示したものである。
【００１５】
このように、本発明に伴う一体型取っ手を有するペット瓶を製造するには、先に、図３に示した通り、望む形状の製品を射出成型できるように、型形状を有する第１，２，３金型（１１，１２，１３）が具備された１次金型（１０）にインジェクタを利用して溶融状態の樹脂を分散・供給する入り口（２）、本体（３）、取っ手（４）を有する製品を射出成型する。
この状態で、射出成型された製品を図４での通り、ヒータ（Ｈ）を利用して本体（３）を加熱して延伸可能にした状態で、製品を図５での通り、ペット瓶形態の型状を有する２次金型（２０）に位置させた状態で別途の駆動装置（図示せず）により、昇・降する延伸棒（２１）を利用して、本体（３）を下方に延長させ、所定の圧力を有するエアを本体（３）内にブローイングして、本体（３）が拡張しながら２次金型（２０）に形成された型状に従い、射出成型するとペット瓶の射出成型が完成するのである。
【００１６】
この時、前記本体（３）にエアをブローイングして２次金型の型状に拡張させ射出成型する際に、取っ手（４）の端部に形成された固定片（６）は本体（３）が拡張される過程で、固定片（６）を覆いその形状に沿って一体をなすように射出成型されることにより、本体（３）と取っ手（４）の端部の一部位、つまり、固定片（６）が一体で射出成型される。
このようにして、２次金型（２０）を利用して製品を延伸及びブロー成型すると、取っ手が一体に成されたペット瓶の射出成型が完成される。
さらに、前記のような製造方法により、射出成型されたペット瓶は添付した図面の図６に示した通り、入り口（２）の下端部の一側方に連結片（５）により、取っ手（４）が一体を成すように形成され、前記取っ手（４）の端部には固定片（６）が設けられ、固定片（６）は本体（３）により覆われ一体を為すようになる。
【００１７】
さらに、前記取っ手（４）が一体で形成された部位の本体（３）には縦方向に一定範囲に亘り、等間隔を成す複数の凹溝部（７）が形成されることにより、前記凹溝部（７）により取っ手（４）が形成された本体（３）の縦・横方向に加えられる荷重に対する応力が向上し、全体的な本体（３）の強固性と耐久性が優れるようになると共に、外力によって取っ手（４）が容易に抜け難くなる。
【００１８】
一方、本発明に伴うペット瓶は添付した図面の図７及び図８に示した通り、ペット瓶を射出成型する際に、図７での通り、本体（３）によって取っ手（４）の固定片（６）が覆われながら一体で成されるものの、前記取っ手（４）の中央部分に補助固定片（８）が一体で延長され、本体（３）により覆われ一体で射出成型されるようにするか又は、図８での通り、取っ手（４）が本体（３）に一体で射出成型される過程で、固定片（６）が本体（３）に覆われながら一体に成され、取っ手（４）から一体で一対の補助固定片（８’）が延長され、本体（３）に一体に覆われるように射出成型されるのである。
従って、ペット瓶の本体（３）と取っ手（４）相互間の補助固定片（８，８’）が形成されることにより、より向上した取っ手（４）の固定に伴う強固性と保持力をアップさせることができるのである。
【００１９】
さらに、本発明に伴うペット瓶は図９，１０，１１に示された通り、さらに他の実施例を有するようになり、これは図１及び図２に示されたような製造方法によって、取っ手（４）が一体になったペット瓶を加工するか又は、本体（３）の両側方にそれぞれ取っ手（４）が一体で射出・成型（図９参照）されるのである。
この時、図９に示されたペット瓶は、前記取っ手（４）が本体（３）の上端部から中央部位に達するように下方に長く延長するように成され、図１０に示されたペット瓶は、取っ手（４）の内側面には補助固定片（８’）が一体で延長・突出され本体（３）と一体を成して射出・成型されるのである。
【００２０】
さらに、図１１に示された通り、前記取っ手（４）が本体（３）の上端部から下部に達するように下方に長く延長され、内側面には一定間隔を成し、補助固定片（８’）が延長・突出されるように射出・成型されるのである。
図１２，１３，１４，１５に伴う実施例では取っ手（４）を入口（２）の下部外周面に形成された結合溝（９’）と支持片（９）に連結されるように一体で射出・成型するようにしたものであって、取っ手（４）の連結片（５）が支持片（９）の内上部に位置した支持片（９ａ）に連接されるか又は、中間部若しくは下部に位置した支持片（９ｂ，９ｃ）と連接され、一体で射出・成型するようにしたものである。
図１６，１７に伴う実施例では入口（２）の下部に単一形態で環状の支持片（９）が突出するようにし、取っ手（４）の連結片（５）を覆い一体で射出・成型するか、又は、支持片（９）の底面一部位と本体（３）の一部位に連接するように一体で射出・成型するようになるものである。
図１８に伴う実施例では入口（２）の下部に別途の支持片を突出せずに、取っ手（４）の連結片（５）を本体（３）に一体で射出・成型するようにしたものである。
本発明に伴うペット瓶は上述のような実施例以外にも多様な形態で取っ手を一体化させることができ、本発明に伴う製造方法を利用して取っ手が一体で成された多様な形態のペット瓶を加工できることは勿論のことである。
【図面の簡単な説明】
【００２１】
【図１】本発明に伴うペット瓶製造方法を示す工程図。
【図２】本発明に伴う製造方法による工程を示す概略図。
【図３】本発明のペット瓶製造方法に伴う工程を説明する為の拡大断面図。
【図４】本発明のペット瓶製造方法に伴う他の工程を説明する為の拡大断面図。
【図５】本発明のペット瓶製造方法に伴う他の工程を説明する為の拡大断面図。
【図６】Aは本発明に伴う一体型取っ手を有するペット瓶を示す平面図、Bはその縦断面図。
【図７】Aは本発明に伴う一体型取っ手を有するペット瓶の他の実施例を示す平面図、Bはその縦断面図。
【図８】Aは本発明に伴う一体型取っ手を有するペット瓶の他の実施例を示す平面図、Bはその縦断面図。
【図９】本発明に伴う一体型取っ手を有するペット瓶のさらに他の実施例を示す縦断面図。
【図１０】本発明に伴う一体型取っ手を有するペット瓶のさらに他の実施例を示す縦断面図。
【図１１】本発明に伴う一体型取っ手を有するペット瓶のさらに他の実施例を示す縦断面図。
【図１２】本発明に伴う一体型取っ手を有するペット瓶のさらに他の実施例を示す部分拡大断面図。
【図１３】本発明に伴う一体型取っ手を有するペット瓶のさらに他の実施例を示す部分拡大断面図。
【図１４】本発明に伴う一体型取っ手を有するペット瓶のさらに他の実施例を示す部分拡大断面図。
【図１５】本発明に伴う一体型取っ手を有するペット瓶のさらに他の実施例を示す部分拡大断面図。
【図１６】本発明に伴う一体型取っ手を有するペット瓶のさらに他の実施例を示す部分拡大断面図。
【図１７】本発明に伴う一体型取っ手を有するペット瓶のさらに他の実施例を示す部分拡大断面図。
【図１８】本発明に伴う一体型取っ手を有するペット瓶のさらに他の実施例を示す部分拡大断面図。
【符号の説明】
【００２２】
２：入り口、  ３：本体、  ４：取っ手、  ５：連結片、  ６：固定片、  ７：凹溝部、  ８，８’：補助固定片  ９：支持片、  ９’：結合溝
【図１】
2005067188.tif 000003
【図２】
2005067188.tif 000004
【図３】
2005067188.tif 000005
【図４】
2005067188.tif 000006
【図５】
2005067188.tif 000007
【図６】
2005067188.tif 000008
【図７】
2005067188.tif 000009
【図８】
2005067188.tif 000010
【図９】
2005067188.tif 000011
【図１０】
2005067188.tif 000012
【図１１】
2005067188.tif 000013
【図１２】
2005067188.tif 000014
【図１３】
2005067188.tif 000015
【図１４】
2005067188.tif 000016
【図１５】
2005067188.tif 000017
【図１６】
2005067188.tif 000018
【図１７】
2005067188.tif 000019
【図１８】
2005067188.tif 000020